(57)【特許請求の範囲】
【請求項１】
水平断面がＬ字形で且つ上下方向に長尺な出隅用下地材が建物躯体の出隅部外面に略鉛直な状態で固定され、上記出隅用下地材の外面に出隅用外壁材である水平断面Ｌ字形の出隅材が略鉛直な状態で取り付けられた外壁の出隅構造であって、上記出隅用下地材の両側端に夫々一体に設けられたジョイナが、上記出隅材とその左右両側の外壁材との接合部の裏側に配置されており、上記の各ジョイナは、外方側に開口する上下に長い凹溝を備えるとともに、この凹溝の左右両側の開口縁に、外方側に突出する上下に長い止水材が夫々設けられたもので、これら止水材が上記出隅材の側端部の裏面と、上記出隅材に隣接する上記外壁材の側端部の裏面とに接触し、上記出隅材と上記外壁材との突き合わせ接合部の背後に上記凹溝が位置していることを特徴とする外壁の出隅構造。
【請求項２】
上記の各ジョイナは、上記出隅材の側端部の裏面と、上記出隅材に隣接する上記外壁材の側端部の裏面とに接着固定されていることを特徴とする請求項１記載の外壁の出隅構造。
【請求項３】
上記出隅材は出隅材取付具を介して上記出隅用下地材に固定されていることを特徴とする請求項１又は２に記載の外壁の出隅構造。
【請求項４】
上記出隅材同士の上下方向接合部及び上記外壁材の上下方向接合部に止水材が配されていることを特徴とする請求項１〜３のいずれか１項に記載の外壁の出隅構造。
【請求項５】
水平断面がＬ字形で且つ上下方向に長尺であり且つ建物躯体の出隅部外面に略鉛直な状態で固定されるとともにその外面側に出隅用外壁材である水平断面Ｌ字形の出隅材が略鉛直な状態で取り付けられる出隅用下地材であって、その両側端に、上記出隅材とその左右両側の外壁材との接合部の裏側に配置されるジョイナを夫々一体に備え、上記の各ジョイナは、上記出隅材の側端部の裏面に接触する止水材と、上記出隅材に隣接する上記外壁材の側端部の裏面に接触する止水材とを備えるとともに、上記出隅材と上記外壁材との突き合わせ接合部の背後に位置する上下に長い凹溝を備え、これら止水材は、上記凹溝の左右両側の開口縁に設けられていることを特徴とする出隅用下地材。
【請求項６】
上記の各ジョイナは、上記出隅材の側端部の裏面に接着固定される接着部と、上記出隅材に隣接する上記外壁材の側端部の裏面に接着固定される接着部とを備えることを特徴とする請求項５記載の出隅用下地材。
【発明の詳細な説明】
【技術分野】
【０００１】
本発明は、外壁の出隅構造及び建物躯体の出隅部に固定されて出隅材が取り付けられる出隅用下地材に関するものである。
【背景技術】
【０００２】
窯業系サイディングなどの外壁材を施工するにあたり、建物の出隅部分の施工を容易とするとともに良好な外観を得るために、水平断面がＬ字形となっている出隅材を出隅部分の外壁材として用いることが多く行われている。
【０００３】
また、上記出隅材を施工するにあたって、建物の出隅部分に上下方向に長い水平断面Ｌ字形の出隅用下地材を固定し、この出隅用下地材に外壁材を取り付けることが特許文献１に示されている。
【０００４】
上記のような出隅用下地材を用いる場合、出隅に位置する柱が鉛直ではない場合でも、出隅用下地材が鉛直状態となるように上記柱に取り付けることで、外壁材の出隅を鉛直に施工することができる。
【先行技術文献】
【特許文献】
【０００５】
【特許文献１】特開平１１−１５９１５４号公報
【発明の概要】
【発明が解決しようとする課題】
【０００６】
しかし、上記出隅用下地材を用いて出隅用外壁材である出隅材を取り付けた場合、出隅材とその左右両側の平板状の外壁材との接合部分には別途部材が必要となる。例えば、湿式シーリング工法での施工の場合、出隅材と平板状外壁材との間の縦目地の背後に断面ハット状のバックアップ材を取り付けた後、縦目地にシーリング材を充填することになる。
【０００７】
いわゆるシーリングレス工法で出隅材と平板状外壁材とを接合する場合には、接合部の背面側で防水性を確保するための部材が別途必要となる。
【０００８】
本発明は上記問題に鑑みてなされたもので、出隅用下地材を介して出隅材を取り付ける場合の出隅回りの施工を簡便にすることができる外壁の出隅構造及び出隅用下地材を提供することを課題とする。
【課題を解決するための手段】
【０００９】
本発明にかかる外壁の出隅構造は、水平断面がＬ字形で且つ上下方向に長尺な出隅用下地材が建物躯体の出隅部外面に略鉛直な状態で固定され、上記出隅用下地材の外面に出隅用外壁材である水平断面Ｌ字形の出隅材が略鉛直な状態で取り付けられた外壁の出隅構造であって、上記出隅用下地材の両側端に夫々一体に設けられたジョイナが、上記出隅材とその左右両側の外壁材との接合部の裏側に配置されている。
【００１０】
上記の各ジョイナは、外方側に開口する上下に長い凹溝を備えるとともに、この凹溝の左右両側の開口縁に、外方側に突出する上下に長い止水材が夫々設けられたもので、これら止水材が上記出隅材の側端部の裏面と、上記出隅材に隣接する上記外壁材の側端部の裏面とに接触し、上記出隅材と上記外壁材との突き合わせ接合部の背後に上記凹溝が位置していることを特徴とする。
【００１１】
また、上記の各ジョイナは、上記出隅材の側端部の裏面と、上記出隅材に隣接する上記外壁材の側端部の裏面とに接着固定されていることが好ましい。
【００１２】
上記出隅材は出隅材取付具を介して上記出隅用下地材に固定されていることが好ましく、更には、上記出隅材同士の上下方向接合部及び上記外壁材の上下方向接合部に止水材が配されていることが好ましい。
【００１３】
そして本発明にかかる出隅用下地材は、水平断面がＬ字形で且つ上下方向に長尺であり且つ建物躯体の出隅部外面に略鉛直な状態で固定されるとともにその外面側に出隅用外壁材である水平断面Ｌ字形の出隅材が略鉛直な状態で取り付けられる出隅用下地材であって、その両側端に、上記出隅材とその左右両側の外壁材との接合部の裏側に配置されるジョイナを夫々一体に備えている。
【００１４】
上記の各ジョイナは、上記出隅材の側端部の裏面に接触する止水材と、上記出隅材に隣接する上記外壁材の側端部の裏面に接触する止水材とを備えるとともに、上記出隅材と上記外壁材との突き合わせ接合部の背後に位置する上下に長い凹溝を備え、これら止水材は、上記凹溝の左右両側の開口縁に設けられていることを特徴とする。上記の各ジョイナは、上記出隅材の側端部の裏面に接着固定される接着部と、上記出隅材に隣接する上記外壁材の側端部の裏面に接着固定される接着部とを備えることが好ましい。
【発明の効果】
【００１５】
本発明においては、出隅用下地材を介して出隅用外壁材である出隅材を取り付けるために、外壁材の出隅部分の鉛直を保つことが容易となる。しかも出隅用下地材は上記出隅材と平板状外壁材との接合部分の背後に位置するジョイナを一体に備えているために、出隅用下地材を介して出隅用外壁材を取り付ける場合の出隅回りの施工を簡便にすることができる。
【図面の簡単な説明】
【００１６】
【図１】本発明の実施の形態の一例における水平断面図である。
【図２】同上の破断斜視図である。
【図３】他の例における破断斜視図である。
【図４】同上の破断斜視図である。
【図５】同上の破断斜視図である。
【発明を実施するための形態】
【００１７】
以下、図示の実施の形態の一例に基づいて詳述すると、図１及び図２において、１は建物躯体の出隅部外面に固定されるとともにその外面側に出隅用外壁材である水平断面Ｌ字形の出隅材２が取り付けられる出隅用下地材である。以下では、図１における上側及び下側をそれぞれ「前側」及び「後側」とし、また、図１における紙面手前側及び奥側をそれぞれ「上側」及び「下側」とし、さらに、図１における右側及び左側をそれぞれ「右側」及び「左側」とする。
【００１８】
上記建物躯体の出隅部には、該建物躯体の一部である四角柱状の柱８が設置されており、この柱８の屋外側に面する前側面８１及び右側面８２に出隅用下地材１を介して複数の水平断面Ｌ字状の出隅材２が柱８に沿って上下方向に取付固定されている。そして、これら出隅材２の左側及び後側には、上下方向に並ぶ矩形板状の外壁材４が出隅材２と突き付けられて建物躯体に取り付け固定されている。なお、図１では、出隅材２については水平面で切った断面が示され、その両側の外壁材４については各々の上端面が示されている。
【００１９】
上記出隅用下地材１は、例えばアルミニウム等の金属の押出成形品からなる水平断面略Ｌ字形の長尺部材であり、柱８に固定される。なお、出隅用下地材１は、アルミニウム等の金属の押出成形品に限られるものではなく、鋼板等の金属板を折り曲げ加工して成形してもよく、また、樹脂等の押出成形品等であってもよい。
【００２０】
この出隅用下地材１は、柱８の屋外側に面する前側面８１及び右側面８２に固定される上下方向に長尺な断面Ｌ字状の固定部１１を有し、該固定部１１は、柱８の前側面８１及び右側面８２にそれぞれ固定される前側固定部１１１及び右側固定部１１２を有する。前側固定部１１１と右側固定部１１２とは曲面を描いて連続している。
【００２１】
これら固定部１１１，１１２の各裏面には、固定部１１１，１１２と柱８との間の間隔を保持する間隔保持部１０が形成されている。各間隔保持部１０は、上記各固定部１１１，１１２の幅方向に間隔をあけて設けられたそれぞれ上下方向に延びる長尺な一対の間隔保持片１０１，１０１からなる。これら一対の間隔保持片１０１，１０１は、固定部１１１，１１２の各裏面から柱８に向かって各々突出し、突出端が互いに接近するように各々延設されている。
【００２２】
上記各固定部１１１，１１２におけるこれら間隔保持片１０１，１０１の間に対応する箇所には、上記出隅用下地材１を柱８に固定するビス８０が挿通するビス孔１１１ａ，１１２ａが上下方向に間隔をあけて複数貫通形成されている。当該ビス８０は、出隅用下地材１のビス孔１１１ａ，１１２ａだけでなく、出隅材２を柱８に取付支持する出隅材取付具５に貫通形成されたビス孔５０ａにも挿通し、出隅用下地材１及び出隅材取付具５の双方を柱８に固定する。なお、この固定に際しては、柱８が鉛直でない場合、出隅用下地材１における柱８の前側面８１及び右側面８２に夫々設けられている間隔保持片１０１と柱８との間にスペーサ（図示せず）を介在させたりすることで、出隅用下地材１を鉛直な状態に保つことができる。
【００２３】
上記出隅材取付具５は、例えば鋼鈑からなり、各固定部１１１，１１２の表面に固定される矩形板状の固定板部５０を有し、この固定板部５０の上部幅方向中央に上記ビス孔５０ａが貫通形成されていると共に、この固定板部５０の表面上下方向略中央から、該出隅材取付具５の上側に位置する出隅材２の下端を支持する矩形板状の支持片５１が突出形成されている。
【００２４】
この支持片５１の突出端両端部は、下側に階段状に折り曲げられており、これら下側折曲片５３に出隅材２の上端裏側端部に形成された裏実部２１が引っ掛けられる。一方、上記支持片５１の突出端中央部は、前側に向かって上方に傾斜するように折り曲げられており、この上側折曲片５２が出隅材２の下端に形成された係止溝２３に係止する。この時、上方側の出隅材２の表面側の下縁に設けられた表実部２２が、下方の出隅材２の上縁の裏実部２１と合いじゃくりで接合されるために、上下に並ぶ出隅材２，２間の防水が図られる。
【００２５】
また、上記固定板部５０の幅方向両端には、屋外側に突出して出隅用下地材１と出隅材２との間の間隔を保持する一対の間隔保持板部５４が形成されている。各間隔保持板部５４の突出端は、上記固定板部５０の幅方向外側に折り曲げられており、この突出端が出隅材２の裏面に接触している。
【００２６】
上記出隅用下地材１の左端は、前側固定部１１１に取り付けられた出隅材取付具５よりも左側に位置し、かつ上記出隅材２の左端よりも右側に位置し、この出隅用下地材１の左端に、出隅材２と該出隅材２の左側に隣接する外壁材４との接合部裏側に配設されるジョイナ３が一体に設けられている。一方、上記出隅用下地材１の後端は、右側固定部１１２に取り付けられた出隅材取付具５よりも後側に位置し、かつ上記出隅材２の後端よりも前側に位置し、この出隅用下地材１の後端に、出隅材２と該出隅材２の後側に隣接する外壁材４との接合部裏側に配設されるジョイナ３が一体に設けられている。
【００２７】
ここで、出隅用下地材１の左端に設けられたジョイナ３と後端に設けられたジョイナ３（本発明でいう出隅用下地材１の両側端に設けたジョイナ３，３）は、略同一構成であるため、以下では、前者について説明し、後者についての説明を省略する。
【００２８】
上記ジョイナ３は、前側に開口する平面視略コ字状の上下方向に長尺な部材であり、例えばアルミニウムや樹脂の押出成形品や、折り曲げ加工された鋼板製である出隅用下地材１の左端に前述のように一体に設けられたものである。該ジョイナ３は、上記柱８の前側面８１に接する底板部３４と、該底板部３４の幅方向両端から前方に突出する一対の側板部３５と、これら底板部３４及び一対の側板部３５によって前方に開口すると共に上下両端部が開口するように形成され、出隅材２とその左側の外壁材４との突き合わせ部の裏側に位置する凹溝３０と、を有している。
【００２９】
両側板部３５の前後寸法は上記間隔保持片１０１と略同一であり、右側の側板部３５の前端が上記出隅用下地材１の左端に繋がっている。また、両側板部３５の前端部、即ち凹溝３０の左右の開口縁には、夫々止水材３１，３１が取り付けられる止水材保持部３７が設けられている。該止水材３１は、例えば軟質塩化ビニル樹脂、ＥＰＤＭやクロロプレンシリコン等の軟質材からなるもので、上下方向に長尺な板状の基端部３１ａと、該基端部３１ａの左右方向中央からジョイナ３の上下方向全長にわたって凹溝３０の開口面よりも外方側に突出し、上記出隅材２の裏面または外壁材４の裏面に圧接されるフィン状部３１ｂを有している。このフィン状部３１ｂは、その突出端が凹溝３０の開口部中央寄りに傾いていることが好ましい。
【００３０】
一方、上記止水材保持部３７は、断面略コ字状をなし、前方に開口して上記止水材３１の基端部３１ａを保持する止水材保持溝３７ａが形成され、この止水材保持溝３７ａの左右の両開口端は、互いに接近するように延設されていて、該止水材保持溝３７ａに嵌め込まれた上記止水材３１の基端部３１ａの左右両端部を保持している。なお、図示例では上記止水材保持溝３７ａに止水材３１の基端部３１ａを嵌め込むことで止水材３１を保持しているが、例えば基端部３１ａの裏面に貼り付けた両面接着テープ等の手段で取り付けてもよい。
【００３１】
また、左側の上記側板部３５の前端には、左方に突出して接着剤３３を保持する接着剤保持部３２が上記ジョイナ３の上下方向全体に亘って形成されている。該接着剤保持部３２には、前方に開口して接着剤３３が充填される接着剤保持溝３２ａが形成されている。ここにおける接着剤３３は、外壁材４の背面に接着して、ジョイナ３と外壁材４とを接着固定することで、外壁材４の側端の固定強度を高めて浮き上がりを防ぐとともに防水性を高める。また、外壁材４の端部が接着剤３３を介してジョイナ３及び出隅用下地材１に強固に固定されているので、外壁材４が温度変化に伴って寸法変化しても、接着剤３３による固定がなされていない場合と比較して、左右方向へのズレが抑制されるため接合部の隙間が拡大せず、防水性を保持することが可能となる。
【００３２】
なお、接着剤３３は、接着剤保持溝３２ａのうち、上下に隣接する出隅材２，２同士の接合部及びその側方に位置する上下に隣接する外壁材４，４同士の接合部の近傍に位置する箇所には充填されていないことが好ましい。出隅材２や外壁材４を施工する際に接着剤３３が押圧されて出隅材２および外壁材４の接合部からはみ出るのを防ぐためである。
【００３３】
上記の止水材３１は、予めジョイナ３に取り付けられた状態で工場出荷される。接着剤３３については施工現場において接着剤保持溝３２ａに充填される。なお、接着剤３３も上記止水材３１と同様に予めジョイナ３に取り付けられた状態で出荷されてもよい。
【００３４】
出隅材２の左側及び後側には、平板状の外壁材４が配されるとともに、外壁材取付具６によって建物躯体の外面に固定される。ここにおける外壁材取付具６は、柱８の前側面８１に接するジョイナ３の左側に位置し、また、柱８の右側面８２に接するジョイナ３の後側に位置する。上記の出隅材取付具５と同様に、上下に並ぶように施工される外壁材４の上縁に設けられた裏実部４１の上端を支持片６１の突出端両端部に設けた下側折曲片６３に引っ掛けるとともに、この外壁材４の上方側に設置される他の外壁材４の下縁に設けられた係止溝４３に、斜め上方に突出する上側折曲片６２を係止させることで上方側の外壁材４の下端を固定する。この時、上方側の外壁材４の表面側の下縁に設けられた表実部４２が、下方の外壁材４の上縁の裏実部４１と合いじゃくりで接合されるために、上下に並ぶ外壁材４，４間の防水が図られる。なお、図１に図示する外壁材取付具６と、図２に図示する外壁材取付具６とは、形状が僅かに異なるが、その基本的な構造は、出隅材取付具５と略同一である。
【００３５】
そして、出隅材２及び外壁材４を固定した時、上記各ジョイナ３の止水材３１，３１のうちの一方は、出隅材２の裏面に密着し、他方は外壁材４の裏面に密着し、出隅材２と外壁材４との突き合わせ面から背後側に浸入する雨水が左右に広がることを防止する。また、上記突き合わせ面の背後に浸入してきた雨水は、下側にも開口する凹溝３０によって下方へと流す。
【００３６】
出隅材２の側端部付近の裏実部２１上面及び外壁材４の側端部付近の裏実部４１上端には、水の横走りを防止するための止水材３６を取り付けておくのが好ましい。この止水材３６は、例えば、軟質塩化ビニル樹脂、ＥＰＤＭやクロロプレンシリコン等の軟質材からなり、外壁材４や出隅材２の上記上端における止水材３１が接する部分に位置しているか、この部分よりも出隅材２と外壁材４との突き合わせ面に近い位置にあることが好ましい。接合部に浸入した水を凹溝３０に導くことが可能となり、その結果、接合部に浸入した水が止水材３１の左右方向外側に流出するのを防止することができる。
【００３７】
図３〜図５に他例を示す。基本的構成は上記の実施例で示したものと同じであるが、ジョイナ３における接着剤保持溝３２ａ及び接着剤保持溝３２ａに充填した接着剤３３を凹溝３０の開口部の左右両側（図示例では止水材保持溝３７ａよりも外側）に設けて、出隅材２の側端部の背面も接着固定するようにしている。この場合、外壁材４と出隅材２との間に隙間が生じてしまうおそれを更に少なくすることができる。
【００３８】
いずれの実施例においても、出隅材２を取り付けるための出隅用下地材１を設置すれば、出隅材２と外壁材４とをシーリングレス工法で接合するためのジョイナ３，３も設置されるものであり、ジョイナ３の施工を別途行う必要がない。このために、建物の出隅部分の外壁工事の手間を削減することができる。特に図示例のようにシーリングレス工法のためのジョイナ３を出隅用下地材１に一体に設けたものでは、湿式シーリング工法の場合のような縦目地へのシーリング充填作業も必要としないために、出隅回りの工事を更に簡便化することができる。
【００３９】
なお、ジョイナ３の凹溝３０部分の背面は、図示例では出隅の柱８に接しているが、柱８から浮いていてもよい。つまり凹溝３０の深さが図示例のものよりも浅くてもよい。
【００４０】
また、柱８が鉛直に設置されている場合、ジョイナ３の底板部３４をビスや釘等の固定具で建物躯体８に固定してもよい。もっとも、凹溝３０は上述の如く雨水排水部として用いる関係上、固定具にはボンデッドワッシャー等の止水ワッシャーを取り付けたり、固定具として止水機能付ビスを用いることが好ましい。
【００４１】
上記の各実施例においては、シーリングレス工法用のジョイナ３を出隅用下地材１の両側に夫々一体に設けたものを示したが、湿式シーリング工法で施工される外壁の出隅については、外壁材４と出隅材２との間の縦目地に充填されるシーリング材の背後に配置するバックアップ材としてのジョイナを出隅用下地材１と一体に設けることで、出隅部分の工事の簡便化を図ることができる。
【符号の説明】
【００４２】
１  出隅用下地材
２  出隅材
３  ジョイナ
４  外壁材
５  出隅材取付具
６  外壁材取付具
８  柱
１０  支持片
３０  凹溝
３１  止水材
３３  接着剤
【図１】
0006700760.tif 000002
【図２】
0006700760.tif 000003
【図３】
0006700760.tif 000004
【図４】
0006700760.tif 000005
【図５】
0006700760.tif 000006